(57)【要約】【課題】各ブロック間の連結が強固であり、左右および上下のブロック間が極めて強固に連結されていて、しかも階段状のステップが護岸ブロックの厚みの中に収納される形で形成されているために、ブロックの運搬や設置、その他の取り扱いにおいて非常に便利であり、またブロックが重くなりすぎるという欠点を解消した護岸ブロックを提供しようとするものである。【解決手段】全体形状がほぼ方形で厚板状をなす護岸ブロックであって、天端面の中央部を厚く、中央部から上方および下方に向かって薄くなるよう傾斜させ、上記厚みのある中央部に上下方向に向かってＶ字形の凹所を形成することにより階段状のステップとするとともに、上端面および下端面に切欠きを設けてその両側をそれぞれ一対の脚部とし、上記切欠きに隣接する一対の護岸ブロックの脚部をはめ込んであいばとした上、護岸ブロックの上下方向に挿通した複数の通し鉄筋が、上下のみならず左右に隣接する護岸ブロックを連結するようにしたことを特徴とする護岸ブロック。【選択図】      図１
2005264644.tif 000002
【特許請求の範囲】
【請求項１】
全体形状がほぼ方形で厚板状をなす護岸ブロックであって、天端面の中央部を厚く、中央部から上方および下方に向かって薄くなるよう傾斜させ、上記厚みのある中央部に上下方向に向かってＶ字形の凹所を形成することにより階段状のステップとするとともに、上端面および下端面に切欠きを設けてその両側をそれぞれ一対の脚部とし、上記切欠きに隣接する一対の護岸ブロックの脚部をはめ込んであいばとした上、護岸ブロックの上下方向に挿通した複数の通し鉄筋が、上下のみならず左右に隣接する護岸ブロックを連結するようにしたことを特徴とする護岸ブロック。
【請求項２】
Ｖ字形の凹所として形成された階段状のステップが、Ｖ字形の一方の面を他方の面より長くし、長くした面を護岸ブロックを設置した場合に、水平となるように構成したことを特徴とする請求項１に記載の護岸ブロック。
【請求項３】
護岸ブロックの上下方向に挿通した通し鉄筋が、上端面および下端面の切欠きに一対と、その両側の脚部にそれぞれ１本配筋することにより、上下に隣接する護岸ブロックどうしを少なくとも２本の通し鉄筋で連結するようにしたことを特徴とする請求項１または２に記載の護岸ブロック。
【請求項４】
護岸ブロックの上端面および下端面の切欠きが、開放部に向かって広がるテーパを有し、左右の護岸ブロックの脚部をその中に簡単にはめ込むことができるようにしたことを特徴とする請求項１ないし３のいずれかに記載の護岸ブロック。
【発明の詳細な説明】
【技術分野】
【０００１】
本発明は、河川における川岸等の洗掘防止のために川岸の斜面等を被覆する護岸ブロックであって、良好な根固めと流れの勢力の減勢と歩きやすい階段状の形状とを与えるコンクリート製の護岸ブロックに関する。
【背景技術】
【０００２】
従来、河川における川岸等の洗掘防止のために川岸の斜面等を保護するブロックとしては直方体状張りブロック、Ｔ字形ブロック、穴開きブロックなどがあり、これらのブロックを斜面上に傾斜に沿って配列していた。
【０００３】
これら従来のブロックは、上面が一平面となるものは流れの勢力の減勢効果が乏しく、洗掘をまぬがれないおそれがあり、流れの勢力の滅勢、洗掘防止の効果を大きくするように凸起や孔を設けたものは、人がこれらのブロック上を歩くときに極めて歩きにくく、特に子供が歩行することに対して安全に欠けるところがある。
【０００４】
そのため、このような欠点を改善した緩傾斜面被覆階段ブロックとして、実開昭５９−１５１９３０号公報（特許文献１参照）に示すような、
「全体形状がほば方形厚板状をなす緩傾斜面被覆用コンクリートブロックにおいて、天端面の前面側約半分に前記緩傾斜面の勾配とほぼ等しく前面側が高く後方側が低い天端面勾配を付するとともに、両横側面を『く』の字状の凹形鉛直面となし、かつ、前面と背面のそれぞれの中央部に鉛直切欠きを設けたことを特敢とする」
というものが提案されている。この発明は、根固め、流れの勢力の減勢、洗掘防止効果がきく、かつ歩きやすい緩傾斜面被覆階段ブロックを提供するものである。
【特許文献１】実開昭５９−１５１９３０号公報
【発明の開示】
【発明が解決しようとする課題】
【０００５】
しかしながら、上記従来例においては、両横側面を『く』の字状の凹形鉛直面とし、この『く』の字状の凹形鉛直面に、上下一対のブロックの幅広としたいずれかの両側端部を接合かつ収納したものであり、左右のブロック間が経年変化でずれやすかった。そしてその影響で上下のブロック間もずれやすかった。
【０００６】
また、天端面の前面側約半分に前記緩傾斜面の勾配とほぼ等しく前面側が高く後方側が低い天端面勾配を付してステップとしているが、この天端面の前面側において厚みが異なるためにブロックの運搬や設置、その他の取り扱いに不便で、ブロックが重くなりすぎるという欠点があった。
【０００７】
この発明は従来例の上記欠点を解消した護岸ブロックを提供することを目的とするもので、各ブロック間の連結が強固であり、左右および上下のブロック間が極めて強固に連結されていて、しかも階段状のステップが護岸ブロックの厚みの中に収納される形で形成されているために、ブロックの運搬や設置、その他の取り扱いにおいて非常に便利であり、またブロックが重くなりすぎるという欠点を解消した護岸ブロックを提供しようとするものである。
【課題を解決するための手段】
【０００８】
すなわちこの発明の護岸ブロックは、全体形状がほぼ方形で厚板状をなす護岸ブロックであって、天端面の中央部を厚く、中央部から上方および下方に向かって薄くなるよう傾斜させ、上記厚みのある中央部に上下方向に向かってＶ字形の凹所を形成することにより階段状のステップとするとともに、上端面および下端面に切欠きを設けてその両側をそれぞれ一対の脚部とし、上記切欠きに隣接する一対の護岸ブロックの脚部をはめ込んであいばとした上、護岸ブロックの上下方向に挿通した複数の通し鉄筋が、上下のみならず左右に隣接する護岸ブロックを連結するようにしたことを特徴とするものである。
【０００９】
この発明の護岸ブロックは、上記Ｖ字形の凹所として形成された階段状のステップが、Ｖ字形の一方の面を他方の面より長くし、長くした面を護岸ブロックを設置した場合に、水平となるように構成したことをも特徴とするものである。
【００１０】
この発明の護岸ブロックは、上記護岸ブロックの上下方向に挿通した通し鉄筋が、上端面および下端面の切欠きに一対と、その両側の脚部にそれぞれ１本配筋することにより、上下に隣接する護岸ブロックどうしを少なくとも２本の通し鉄筋で連結するようにしたことをも特徴とするものである。
【００１１】
この発明の護岸ブロックは、上記護岸ブロックの上端面および下端面の切欠きが、開放部に向かって広がるテーパを有し、左右の護岸ブロックの脚部をその中に簡単にはめ込むことができるようにしたことをも特徴とするものである。
【発明の効果】
【００１２】
この発明によれば、上下および左右のブロック間（あいば）が正確に連結されており、しかも各ブロックは通し鉄筋で強固に一体化されているので、耐久性の大幅に向上した護岸ブロックを提供することが可能となった。
【００１３】
またこの発明によれば、階段状のステップが護岸ブロックの厚みの中に収納される形で形成されているために、ブロックの運搬や設置、その他の取り扱いにおいて非常に便利であり、またブロックが重くなりすぎるという欠点を解消した護岸ブロックを提供することができるようになった。
【００１４】
以下にこの発明の護岸ブロックのその他の効果を列記する。
１）護岸ブロックの上下の凹凸部（切欠きと脚部）は「あいば」を頑強にかみ合わせ、護岸ブロック個々の崩壊と流出を確実に防止することができる。
２）１つの護岸ブロックで４本の通し鉄筋が貫通し、各護岸ブロック間を２本の通し鉄筋で連結して一体化しているので、護岸ブロック個々の崩壊と流出を確実に防止することができる。
３）護岸ブロックの上下の凹凸部（切欠きと脚部）の勾配は各護岸ブロックの据付を容易にし、また河床や護岸の地盤に変形不陸が生じても柔軟に対応して護岸ブロックの破壊を防止する。
４）各護岸ブロックにかかる自重等は下部の左右ブロックへ均等に分散され、安全で強固な護岸を作ることができる。
【発明を実施するための最良の形態】
【００１５】
図面はこの発明の護岸ブロックの実施の形態を示し、図１は護岸ブロックの前面側から見た斜視図、図２はその正面図、図３はその側面国、図４はその平面国、図５はその底面図、図６は通し鉄筋の機能を説明するため、この発明の護岸ブロックを中央で分割した状態を示す正面図、図７は各護岸ブロックを連結した状態を示す正面図、図８は法肩ブロックの平面図、図９はその正面図、図１０はその側面図、図１１はその連結状態を示す側面図、図１２は護岸ブロックを法面上に敷設した状態を示す概略断面図、図１３はこの発明の護岸ブロックの製造に使用する型枠の斜視図である。
【００１６】
この発明の護岸ブロックを示す図１ないし図５において、護岸ブロック１１は全体形状がほぼ方形で厚板状をなすものであって、天端面の中央部を厚く、中央部から上方および下方に向かって薄くなるようテーパ状の傾斜面１２を設けた構造を備えている。そして、上記厚みのある中央部には、上下方向に向かってＶ字形の凹所１３を形成することによりその下側の平面を階段状のステップ１４としている。
なお、上記Ｖ字形の凹所１３として形成された階段状のステップ１４は、Ｖ字形の一方の面を他方の面より長くし、長くした面を護岸ブロック１１を設置した場合に、水平となるように構成している。
【００１７】
また、上端面および下端面にはそれぞれ切欠き１５を設けてその両側をそれぞれ一対の脚部１６とし、上記切欠き１５に隣接する各護岸ブロック１１の一対の脚部１６をはめ込んであいばとして連結している。なお、上記切欠き１５は開放端に向かってテーパ状に広がる傾斜面１７をその側面に形成されており、この傾斜面１７に対応するよう先端に向けてつぼまるテーパ状に形成した脚部１６がスムーズにはめ込めるようになっている。
【００１８】
護岸ブロック１１には、図６に示す分割状態において見られるように、切欠き１５に１対と、各脚部１６にそれぞれ１つの通し鉄筋を挿通する貫通孔１８が形成されている。そして、図７に示すように、上記貫通孔１８に上下方向に挿通した複数の通し鉄筋１９が、１つの護岸ブロック１１の切欠き１５内に挿通した通し鉄筋１９は、次の護岸ブロック１１の脚部１６の貫通孔１８に挿通されるよう護岸ブロック１１を組み付けているので、上下のみならず左右に隣接する護岸ブロック１１をも強固に連結することができる。
【００１９】
なおまた、護岸ブロック１１の上下方向に挿通した通し鉄筋１９は、上端面および下端面に開口する切欠き１５に一対と、その両側の脚部１６にそれぞれ１本配筋することにより、上下に隣接する護岸ブロック１１どうしを少なくとも２本の通し鉄筋１９で連結するようにしたので、互いの連結強度を飛躍的に向上させることができる。
【００２０】
図８ないし図１１は法面の上端部分に設置して法肩部分を補強する法肩ブロック２１を示すものである。
この法肩ブロック２１は、ほぼ平板状で、両端に護岸ブロック１１等との連結のための切欠き２２を備えている。２３は配筋を通すための連節孔である。
【００２１】
次に、図１２に基いて、この発明の護岸ブロック１１および法肩ブロック２１を川岸の法面に敷設する場合について説明する。
まず、川岸の基礎地盤上に根固めブロック３１を設置し、その端部に順次護岸ブロック１１を組み上げてゆく。その際、隣接する各護岸ブロック１１の脚部１６からなる一対の脚部１６を切欠き１５にはめ込んであいばとして連結していく。なお、上記切欠き１５のテーパ状に広がる傾斜面１７により先つぼまりのテーパ状に形成した脚部１６はスムーズにはめ込めるようになっている。
【００２２】
各護岸ブロック１１が組み上げられた後、各護岸ブロック１１に形成した貫通孔１８に通し鉄筋１９を挿通して、各護岸ブロック１１を通し鉄筋１９で強固に連結し、固定する。
その後、法肩ブロック２１を法面の上端に設置し、巻止め工３２を端部に施した上、ふとんかご３３を堤防上に敷設する。
なお、護岸ブロック１１や法肩ブロック２１の底面に、敷設すべき地盤の状況等に応じて適当な形状の突起や凹部を設けることは任意で、地盤との係合牲を高め敷設の安定性を向上させることが好ましい。もちろん、天端面勾配も敷設場所の条件に応じて定めることができる。またこのブロックは、被覆すべき斜面が砂面でもよく、栗石造成地盤またはマット敷き施工をしてもよい。
【００２３】
本発明のブロックは以上のように構成されているので被覆保護を強固に施工することが容易で信頼性が高く、侵食などの大きい川岸や海岸線の洗掘防止、吸出し防止の能力に優れ保護の効果が大であり、また人の歩行に便である。
【００２４】
図１３はこの発明の護岸ブロック１１を製造するための型枠を示すものである。
この型枠４１は、Ｖ字形の凹所１３を形成するためのパーツを示すものであり、上記Ｖ字形の凹所１３に対応するＶ字形の突起４２が形成されており、その左右にはＶ字形の凹所１３の両側をはさむ側壁部分４３と、前後には中央部から上方および下方に向かって薄くなるよう形成したテーパ状の傾斜面１２に対応する傾斜面４４が形成されている。
この型枠４１には図示はしていないが、ボックス状に囲むもう一方の型枠が組み付けられて全体としての型枠が構成される。
なお、製造に際しては、ボックス状の型枠にコンクリートを充填し、その上から型枠４１を押し込むことにより、所定の形状の護岸ブロック２１等を成形することができる。
【産業上の利用可能性】
【００２５】
以上のように構成した護岸ブロックは、侵食などの大きい川岸や海岸線の洗掘防止、吸出し防止等のためにのみならず、法面の崩壊防止のためであればどのような場所にも敵ゆすることが可能である。
【図面の簡単な説明】
【００２６】
【図１】護岸ブロックの前面側から見た斜視図である。
【図２】その正面図である。
【図３】その側面国である。
【図４】その平面国である。
【図５】その底面図である。
【図６】通し鉄筋の機能を説明するため、この発明の護岸ブロックを中央で分割した状態を示す正面図である。
【図７】各護岸ブロックを連結した状態を示す正面図である。
【図８】法肩ブロックの平面図である。
【図９】その正面図である。
【図１０】その側面図である。
【図１１】その連結状態を示す側面図である。
【図１２】護岸ブロックを法面上に敷設した状態を示す概略断面図である。
【図１３】この発明の護岸ブロックの製造に使用する型枠の斜視図である。
【符号の説明】
【００２７】
１１  護岸ブロック
１２  傾斜面
１３  Ｖ字形の凹所
１４  階段状のステップ
１５  切欠き
１６  脚部
１７  傾斜面
１８  貫通孔
１９  通し鉄筋
２１  法肩ブロック
２２  肩部
２３  溝部
３１  根固めブロック
３２  巻止め工
３３  ふとんかご
４１  型枠
４２  Ｖ字形の突起
４３  側壁部分
４４  傾斜面
【図１】
2005264644.tif 000003
【図２】
2005264644.tif 000004
【図３】
2005264644.tif 000005
【図４】
2005264644.tif 000006
【図５】
2005264644.tif 000007
【図６】
2005264644.tif 000008
【図７】
2005264644.tif 000009
【図８】
2005264644.tif 000010
【図９】
2005264644.tif 000011
【図１０】
2005264644.tif 000012
【図１１】
2005264644.tif 000013
【図１２】
2005264644.tif 000014
【図１３】
2005264644.tif 000015